(57)【要約】【課題】  情報再生装置と映像表示装置とをＨＤＭＩケーブル装置によって接続する際に、これら情報再生装置或いは映像表示装置のＨＤＭＩコネクタとの接続方向が分かり易いＨＤＭＩケーブル装置を提供することを目的とする。【解決手段】  ＨＤＭＩケーブル３１と、このＨＤＭＩケーブル３１の一端に接続されるＨＤＭＩプラグ５とからなり、このＨＤＭＩプラグ５は、このＨＤＭＩプラグ５が接続されるＨＤＭＩコネクタに対応した形状のフード部５１と、このフード部５１の内部に配設され、ＨＤＭＩコネクタのコネクタ端子部と接続されるプラグ端子部５２と、ＨＤＭＩケーブル３１の一部とフード部５１の一部を覆うプラグ胴部５３とを備えたＨＤＭＩケーブル装置３において、プラグ胴部５３は、ＨＤＭＩコネクタに差し込む方向からみた断面形状の少なくとも一部を、フード部５１の輪郭と相似形状または類似形状に形成する。【選択図】図６
2010272485.tif 000002
【特許請求の範囲】
【請求項１】
ＨＤＭＩケーブルと、このＨＤＭＩケーブルの一端に接続されるＨＤＭＩプラグとからなり、このＨＤＭＩプラグは、このＨＤＭＩプラグが接続されるＨＤＭＩコネクタに対応した形状のフード部と、このフード部の内部に配設され、前記ＨＤＭＩコネクタのコネクタ端子部と接続されるプラグ端子部と、前記ＨＤＭＩケーブルの一部と前記フード部の一部を覆うプラグ胴部とを備えたＨＤＭＩケーブル装置において、
前記プラグ胴部は、前記ＨＤＭＩコネクタに差し込む方向からみた断面形状の少なくとも一部を、前記フード部の輪郭と相似形状または類似形状に形成したことを特徴とするＨＤＭＩケーブル装置。
【請求項２】
前記プラグ胴部の差し込む方向からみた断面形状の少なくとも一部が、台形状であることを特徴とする請求項１に記載のＨＤＭＩケーブル装置。
【請求項３】
情報再生機装置と、この情報再生機装置と接続される映像表示装置と、これら情報再生機装置と、この情報再生機装置とを接続するＨＤＭＩケーブル装置とを備えた情報再生システムにおいて、
前記ＨＤＭＩケーブル装置は、ＨＤＭＩケーブルと、このＨＤＭＩケーブルの一端に接続されるＨＤＭＩプラグとからなり、このＨＤＭＩプラグは、このＨＤＭＩプラグが接続される前記情報再生機装置および映像表示装置に設けられたＨＤＭＩコネクタに対応した形状のフード部と、このフード部の内部に配設され、前記ＨＤＭＩコネクタのコネクタ端子部と接続されるプラグ端子部と、前記ＨＤＭＩケーブルの一部と前記フード部の一部を覆うプラグ胴部とからなり、前記プラグ胴部は、前記ＨＤＭＩコネクタに差し込む方向からみた断面形状の少なくとも一部を、前記フード部の輪郭と相似形状または類似形状に形成したことを特徴とする情報再生システム。
【発明の詳細な説明】
【技術分野】
【０００１】
本発明は、情報再生装置と映像表示装置とを接続するＨＤＭＩ（High-Definition Multimedia Interface）ケーブル装置およびこのＨＤＭＩケーブル装置用いた情報再生システムに関する。
【背景技術】
【０００２】
マルチメディアインタフェースの一つであるＨＤＭＩは、デジタル映像信号およびデジタル音声信号を非圧縮で制御信号とともに一体化したシングルケーブルで伝送できるものである。近年、ＨＤＭＩ端子を有する情報再生装置が普及してきており、ＨＤＭＩケーブルによって情報再生装置、例えば、ＤＶＤプレーヤと、映像表示装置、例えば、テレビジョン受像機とが接続されることが増えてきている。このＨＤＭＩ端子は、一般的に情報再生装置や映像表示装置のリア面に設けられており、上下（或いは左右）を認識しないままユーザが端子形状を覗き込むような姿勢でＨＤＭＩケーブル装置を接続する場合、とにかく差し込んでみて、挿入できなければ、上下或いは左右を裏返し、再度挿入する必要がある。
【先行技術文献】
【特許文献】
【０００３】
【特許文献１】特開２００６−２２８４４９号公報
【特許文献２】特開２００４−３２７３２５号公報
【特許文献３】特開２００４−１７１９７６号公報
【特許文献４】特開２００２−１２４３４５０号公報
【発明の概要】
【発明が解決しようとする課題】
【０００４】
上述したように、上下或いは左右を認識しないままユーザが端子形状を覗き込むような姿勢でＨＤＭＩケーブル装置を接続する場合、フード部は金属で形成されているため、リア面に傷を付けたり、プラグ端子部分を損傷する恐れがある。更には、接続作業に時間が掛かり、ユーザなどに面倒な作業を強いることとなる。
【０００５】
なお、特許文献１で提案されている「誤挿入防止部材は、当該ジャック部に適正に挿入される適正プラグの先端両角部によって左右に押し広げられるガイド片と、このガイド片の先端部に設けられた他の種類のプラグの左右両側面を支持する支持片」を形成するものであって、情報再生装置と映像表示装置とをＨＤＭＩケーブル装置によって接続する際に、情報再生装置或いは映像表示装置のＨＤＭＩコネクタとの接続方向を分かり易くするものではない。
【０００６】
また、特許文献２で提案されている「合体コネクタがそれぞれ嵌合されるべき各フード付コネクタのフードの内側面形状を当該合体コネクタの外側面形状に対応させる」ものであって、情報再生装置と映像表示装置とをＨＤＭＩケーブル装置によって接続する際に、情報再生装置或いは映像表示装置のＨＤＭＩコネクタとの接続方向を分かり易くするものではない。
【０００７】
また、特許文献３で提案されている「プラグは、ターミナルへの差込み側の外周形状を、上下又は左右で非対称な形状する」ものであって、情報再生装置と映像表示装置とをＨＤＭＩケーブル装置によって接続する際に、情報再生装置或いは映像表示装置のＨＤＭＩコネクタとの接続方向を分かり易くするものではない。
【０００８】
また、特許文献４で提案されている「複数の突起部がガイドキーをガイド溝の中で上方に押し上げる力が働くので、ガイド溝に固定されて受け側コネクタと差込み側コネクタが嵌合する逆差し防止用雌雄コネクタで、第２に、前記の差込み側コネクタのハウジングを上部ハウジングとロックレバーを有する下部ハウジングの２ピ−スに分離する」ものであって、情報再生装置と映像表示装置とをＨＤＭＩケーブル装置によって接続する際に、情報再生装置或いは映像表示装置のＨＤＭＩコネクタとの接続方向を分かり易くするものではない。
【０００９】
本発明は、上述した問題を解決するためになされたものであり、情報再生装置と映像表示装置とをＨＤＭＩケーブル装置によって接続する際に、これら情報再生装置或いは映像表示装置のＨＤＭＩコネクタとの接続方向が分かり易いＨＤＭＩケーブル装置を提供することを目的とする。
【課題を解決するための手段】
【００１０】
かかる目的を達成するため、本発明では、ＨＤＭＩケーブルと、このＨＤＭＩケーブルの一端に接続されるＨＤＭＩプラグとからなり、このＨＤＭＩプラグは、このＨＤＭＩプラグが接続されるＨＤＭＩコネクタ（ＨＤＭＩレセプタクルとも称される）に対応した形状のフード部と、このフード部の内部に配設され、ＨＤＭＩコネクタのコネクタ端子部と接続されるプラグ端子部と、ＨＤＭＩケーブルの一部とフード部の一部を覆うプラグ胴部とを備えたＨＤＭＩケーブル装置において、プラグ胴部は、ＨＤＭＩコネクタに差し込む方向からみた断面形状の少なくとも一部を、フード部の輪郭と相似形状または類似形状に形成する。
【００１１】
この構成によれば、ＨＤＭＩケーブル装置のプラグ胴部をユーザが握ることにより、差込方向に方向性があることを容易に認識することができる。しかも、そのプラグ胴部の形状は、情報再生装置や映像表示装置のリア面に設けられたＨＤＭＩコネクタに対応した形状のフード部の輪郭と相似形状または類似形状である。従って、ユーザが端子形状を覗き込むような姿勢であってもＨＤＭＩケーブル装置の差し込み方向を簡単に理解することができる。
【００１２】
また、本発明においては、プラグ胴部の差し込む方向からみた断面形状の少なくとも一部を、台形状に形成する。この構成によれば、プラグ胴部の形状が台形状であるので、その形状が単純であり、金型の形状が簡単であり、量産化を図ることができ、経済的である。
【００１３】
更に、本発明においては、情報再生機装置と、この情報再生機装置と接続される映像表示装置と、これら情報再生機装置と、この情報再生機装置とを接続するＨＤＭＩケーブル装置とを備えた情報再生システムにおいて、ＨＤＭＩケーブル装置は、ＨＤＭＩケーブルと、このＨＤＭＩケーブルの一端に接続されるＨＤＭＩプラグとからなり、このＨＤＭＩプラグは、このＨＤＭＩプラグが接続される情報再生機装置および映像表示装置に設けられたＨＤＭＩコネクタに対応した形状のフード部と、このフード部の内部に配設され、ＨＤＭＩコネクタのコネクタ端子部と接続されるプラグ端子部と、ＨＤＭＩケーブルの一部とフード部の一部を覆うプラグ胴部とからなり、プラグ胴部は、ＨＤＭＩコネクタに差し込む方向からみた断面形状の少なくとも一部を、フード部の輪郭と相似形状または類似形状に形成する。
【００１４】
この構成によれば、情報再生装置或いは映像表示装置のＨＤＭＩコネクタと、ＨＤＭＩケーブル装置とを接続するに際して、ＨＤＭＩケーブル装置のプラグ胴部をユーザが握ることにより、差込方向に方向性があることを容易に認識することができる。しかも、そのプラグ胴部の形状は、情報再生装置や映像表示装置のリア面に設けられたＨＤＭＩコネクタに対応した形状のフード部の輪郭と相似形状または類似形状である。従って、ユーザが端子形状を覗き込むような姿勢であってもＨＤＭＩケーブル装置の差し込み方向を簡単に理解することができる。
【発明の効果】
【００１５】
本発明によれば、プラグ胴部の形状を、情報再生装置や映像表示装置のリア面に設けられたＨＤＭＩコネクタに対応した形状のフード部の輪郭と相似形状または類似形状としたので、ＨＤＭＩケーブル装置のプラグ胴部をユーザが握ることにより、差込方向に方向性があることを容易に認識させることが出来る。その結果、ユーザは、端子形状を覗き込むような姿勢であっても、情報再生装置或いは映像表示装置とＨＤＭＩケーブル装置との接続を極めて簡単に行うことができる。しかも、その構成は極めて簡単であり、経済的なＨＤＭＩケーブル装置および情報再生システムを得ることができる。
【図面の簡単な説明】
【００１６】
【図１】本発明の一実施形態に係る情報再生システムの概略構成を示すブロック図である。
【図２】図１に示す光ディスク再生装置（情報再生装置）の概略構成を示す裏面図である。
【図３】図１に示すテレビジョン（映像表示装置）の概略構成を示す正面図である。
【図４】図３に示すテレビジョンの概略構成を示す裏面図である。
【図５】図２および図４に示すＨＤＭＩコネクタの正面図である。
【図６】図１に示すＨＤＭＩケーブル装置の要部を示す斜視図ある。
【図７】図６に示すＨＤＭＩケーブル装置の正面図である。
【図８】図７に示すＨＤＭＩケーブル装置の側面図である。
【図９】本発明の第２実施形態に係るＨＤＭＩケーブル装置の正面図である。
【図１０】図９に示すＨＤＭＩケーブル装置の側面図である。
【図１１】本発明の第３実施形態に係るＨＤＭＩケーブル装置の正面図である。
【図１２】図１１に示すＨＤＭＩケーブル装置の側面図である。
【図１３】本発明の第４実施形態に係るＨＤＭＩケーブル装置の正面図である。
【図１４】図１３に示すＨＤＭＩケーブル装置の上面図である。
【発明を実施するための形態】
【００１７】
（第１実施形態）
以下、本発明の一実施形態を図１乃至図８に基づいて説明する。図１に示す本発明に係る情報再生システムＳは、情報再生装置１として、例えば、光ディスク再生装置１と、映像表示装置２として、例えば、液晶形のテレビジョン２と、これら光ディスク再生装置１とテレビジョン２を接続するＨＤＭＩケーブル装置３とから構成されている。
【００１８】
本発明に係る光ディスク再生装置１は、図１に示すように、光ディスク１１を回転させるスピンドルモータ部Ｍ、光ピックアップ部Ｐ、信号処理部１２、デコーダ部１３、ＯＳＤ（On Screen Display）処理部１４、ＨＤＭＩ送信部１５、制御手段１６、記憶部１７、操作部１８、およびリモコン受信部１９とから構成されている。光ピックアップ部Ｐは、光ディスク１１にレーザビームを照射して光ディスク１１に書き込まれている信号の読み出しを行う。信号処理部１２は、光ピックアップ部Ｐが読み出した信号を処理する。デコーダ部１３は、信号処理部１２が処理した信号を復号する。ＯＳＤ処理部１４は、デコーダ部１３から出力される復号信号に文字若しくは図形のＯＳＤデータを重畳して出力し、又は文字若しくは図形のＯＳＤデータを出力する。ＨＤＭＩ送信部１５は、図２に示すように、その裏面に配設された端子板Ｔ１に設けられたＨＤＭコネクタ４を備え、このＨＤＭＩコネクタ４を介してＯＳＤ処理部１４の出力信号に基づくＨＤＭＩ規格の映像音声データの送信およびＥＤＩＤの受信を行う。制御手段１６は、スピンドルモータ部Ｍ、光ピックアップ部Ｐ、信号処理部１２、デコーダ部１３、ＯＳＤ処理部１４、ＨＤＭＩ送信部１５、および記憶部１７を制御する。操作部１８は、各種操作ボタンを備え、ユーザが押圧した操作ボタンに対応するコード信号を制御手段１６に出力してユーザの指示を制御手段１６に伝える。リモコン受信部１９は、図示しないリモコン送信機から赤外線信号を受信しユーザのリモコン操作に対応するコード信号を制御手段１６に出力してユーザの指示を制御手段１６に伝える。なお、光ディスク１１は、本発明に係る光ディスク再生装置１に対して着脱自在である。
【００１９】
テレビジョン２は、図１、図３および図４に示すように、ＨＤＭＩ受信部２１、表示部２２、記憶部２３、音声出力部２４、および図示しないが、当然の事ながら、アナログおよび／またはデジタルテレビ放送を受信するためのテレビ放送受信機能を備えている。ＨＤＭＩ受信部２１は、その裏面に配設された端子板Ｔ２に設けられたＨＤＭコネクタ４を備え、ＨＤＭＩ規格の映像音声データの受信およびＥＤＩＤの送信を行う。表示部２２は、ＨＤＭＩ受信部２２が受け取った映像データに基づく表示を行う。音声出力部２４は、ＨＤＭＩ受信部２１が受け取った音声データに基づく音声出力を行う。
【００２０】
光ディスク再生装置１およびテレビジョン２に設けられたＨＤＭコネクタ４は、図５に示すように、後述するＨＤＭＩケーブル装置３のフード部５２が嵌入するように結合して接続される、所謂、雌型のＨＤＭコネクタである。このＨＤＭコネクタ４は、台形状に類似した形状のシェル部４１と、このシェル部４１の内部に配設されたコネクタ端子部４２から構成されている。
【００２１】
ＨＤＭＩケーブル装置３は、図１および図６に示すように、ＨＤＭＩケーブル３１と、その両端に設けられたＨＤＭＩプラグ５とから構成されている。ＨＤＭＩケーブル３１は、ＴＭＤＳ（Transition Minimized Differential Signaling）方式でＨＤＭＩ送信部１５からの映像音声データをテレビジョン２に送信するためのＴＭＤＳラインＬ１と、光ディスク再生装置１がテレビジョン２とのＨＤＭＩケーブル装置３による接続の有無を検出するためのＨＰＤ（Hot Plug Detector）ラインＬ２と、光ディスク再生装置１とテレビジョン２との間での制御やステータスの双方向通信を行うためのＤＤＣ（Display Data Channel）ラインＬ３とを備えている。ＨＤＭＩケーブル装置３のＤＤＣラインＬ３によって、光ディスク再生装置１がテレビジョン２からＥＤＩＤ（Extended Display Identification Data）を取得することが可能になっている。なお、テレビジョン２から光ディスク再生装置１に送られるＥＤＩＤにはテレビジョン２の表示部２２の解像度情報が含まれている。
【００２２】
かかる構成により、ユーザは、光ディスク再生装置１の操作部１８の各種操作ボタン或いはリモコン送信機を操作することにより、テレビジョン４の表示部２２に表示される画像を観ることができ、同時に音声出力部２４から音声を聴くことができる。勿論、テレビジョン２に設けられた図示しない操作部或いはリモコンを操作し、所望のチャンネルに合わせることにより、所望のテレビジョン放送を表示部２２により観ることができ、同時に音声出力部２４から音声を聴くことができる。
【００２３】
而して、本発明に従い、図６乃至図８に示すように、ＨＤＭＩケーブル装置３は、ＨＤＭＩケーブル３１の両端に、前述したＨＤＭＩコネクタ４と結合して接続される、所謂、雄型のＨＤＭプラグ５を備えている。このＨＤＭＩプラグ５は、ＨＤＭＩコネクタ４に対応した形状、即ち、ＨＤＭＩコネクタ４のシェル部４１の内側の輪郭と相似形のフード部５１と、このフード部５１の内部に配設され、ＨＤＭＩコネクタ４のコネクタ端子部４２と接続されるプラグ端子部５２と、ＨＤＭＩケーブル３１の一部とフード部５１の一部を覆うプラグ胴部５３とから構成されている。そして、プラグ胴部５３は、プラスチック樹脂などの絶縁物からなり、ＨＤＭＩコネクタ４に差し込む方向からみた断面形状（図７参照）が、フード部５１の輪郭と相似形状または類似形状、図示する例では、逆台形状の類似形状に形成されている。
【００２４】
以上の構成による本実施形態によれば、ユーザが情報再生装置１と映像表示装置２とをＨＤＭＩケーブル装置３により接続するに際して、ＨＤＭＩケーブル装置３のプラグ胴部５３をユーザが握ることにより、差込方向に方向性があることを容易に認識することができる。しかも、そのプラグ胴部５３の形状は、情報再生装置１や映像表示装置２のリア面に設けられたＨＤＭＩコネクタ４のシェル部４１に対応した形状のフード部５１の輪郭と相似形状または類似形状である。従って、ユーザは、端子形状を覗き込むような姿勢であっても、情報再生装置１或いは映像表示装置２とＨＤＭＩケーブル装置３との接続を極めて簡単に行うことができる。しかも、その構成は極めて簡単であり、経済的なＨＤＭＩケーブル装置３および情報再生システムＳを得ることができる。
【００２５】
また、本発明においては、プラグ胴部４１の差し込む方向からみた断面形状が台形状であるので、その形状が単純であり、金型の形状が簡単であり、量産化を図ることができ、経済的である。
【００２６】
（第２実施形態）
次に、本発明の第２実施形態について図９および図１０を参照しながら説明する。なお、図９および図１０において、上述した図１乃至図８と同じ符号を付した部分は、略同一のものを示すため、ここでは詳細な説明は省略する。以下、上述した第１実施形態との相違点を中心に説明する。
【００２７】
本実施形態では、プラグ胴部５３のフード部５１側の胴部５３ａのみ、プラグ胴部４１の差し込む方向からみた断面形状をフード部５１と類似形状になるように逆台形状に形成したものである。
【００２８】
以上の構成による本実施形態よれば、上述した第１実施形態と同様、ユーザが情報再生装置１と映像表示装置２とをＨＤＭＩケーブル装置３により接続するに際して、ＨＤＭＩケーブル装置３のプラグ胴部５３の胴部５３ａをユーザが握る或いは振れることにより、差込方向に方向性があることを容易に認識することができ、情報再生装置１或いは映像表示装置２とＨＤＭＩケーブル装置３との接続を極めて簡単に行うことができる。しかも、その構成は極めて簡単であり、経済的なＨＤＭＩケーブル装置３および情報再生システムＳを得ることができる。
【００２９】
（第３実施形態）
次に、本発明の第３実施形態について図１１および図１２を参照しながら説明する。なお、図１１および図１２において、上述した図１乃至図１０と同じ符号を付した部分は、略同一のものを示すため、ここでは詳細な説明は省略する。以下、上述した各実施形態との相違点を中心に説明する。
【００３０】
本実施形態では、図１１および図１２に示すように、プラグ胴部５３のＨＤＭＩケーブル３１側の胴部５３ｂのみ、プラグ胴部４１の差し込む方向からみた断面形状をフード部５１と類似形状になるように逆台形状に形成したものである。
【００３１】
以上の構成による本実施形態よれば、上述した第１および第２実施形態と同様、ユーザが情報再生装置１と映像表示装置２とをＨＤＭＩケーブル装置３により接続するに際して、ＨＤＭＩケーブル装置３のプラグ胴部５３の胴部５３ｂをユーザが握る或いは振れることにより、差込方向に方向性があることを容易に認識することができ、情報再生装置１或いは映像表示装置２とＨＤＭＩケーブル装置３との接続を極めて簡単に行うことができる。しかも、その構成は極めて簡単であり、経済的なＨＤＭＩケーブル装置３および情報再生システムＳを得ることができる。
【００３２】
（第４実施形態）
次に、本発明の第４実施形態について図１３および図１４を参照しながら説明する。なお、図１３および図１４において、上述した図１乃至図１２と同じ符号を付した部分は、略同一のものを示すため、ここでは詳細な説明は省略する。以下、上述した各実施形態との相違点を中心に説明する。
【００３３】
本実施形態では、図１３および図１４に示すように、ＨＤＭＩケーブル３１に対して、プラグ部５を９０度の角度、即ち、ＨＤＭＩケーブル３１と、ＨＤＭＩプラグ５（フード部５１およびＨＤＭＩ端子５２）とを直角となるように構成したものである。なお、この例では、横型配置にしたが、図示しないが、ＨＤＭＩケーブル３１をプラグ部５の下面側（図１４において）に配置するような縦型配置に構成してもよいのは、勿論である。
【００３４】
以上の構成による本実施形態よれば、上述した第１実施形態および第３実施形態と同様の作用効果を奏する他、ＨＤＭＩプラグ５を横型配置（縦型配置）にしたので、情報再生装置１および映像表示装置２のＨＤＭＩコネクタ４の向きに合わせて接続することができる。この結果、情報再生装置１および映像表示装置２の設置時に省スペース化およびリア面の配線をすっきりさせることができ、都合がよい。
【００３５】
なお、上述した実施形態は、本発明の好適な実施例であるが、本発明はこれに限定されるものではなく、本発明の要旨を逸脱しない範囲において、種々変形実施可能である。
【００３６】
例えば、上述した実施形態では、情報再生装置１として光ディスク再生装置を、また、映像表示装置として液晶形のテレビジョン２に用いた場合について詳述したが、他の情報再生装置および／または映像表示装置に本発明を適用してもよいのは、勿論である。
【符号の説明】
【００３７】
１      光ディスク再生装置（情報再生装置）
２      テレビジョン（映像表示装置）
３      ＨＤＭＩケーブル装置
３１    ＨＤＭＩケーブル
４      ＨＤＭＩコネクタ
４２    コネクタ端子部
５      ＨＤＭＩプラグ
５１    フード部
５２    プラグ端子部
５３    プラグ胴部
Ｓ      情報再生システム
【図１】
2010272485.tif 000003
【図２】
2010272485.tif 000004
【図３】
2010272485.tif 000005
【図４】
2010272485.tif 000006
【図５】
2010272485.tif 000007
【図６】
2010272485.tif 000008
【図７】
2010272485.tif 000009
【図８】
2010272485.tif 000010
【図９】
2010272485.tif 000011
【図１０】
2010272485.tif 000012
【図１１】
2010272485.tif 000013
【図１２】
2010272485.tif 000014
【図１３】
2010272485.tif 000015
【図１４】
2010272485.tif 000016